(57)【要約】【課題】デジタルサイネージ等に利用するに際して、エネルギー効率を向上させた表示装置、投影装置及び投影方法を提供する。【解決手段】投影装置１０は、光源と、光源からの光が照射されて画像光を射出する表示素子５１と、表示素子５１で投影すべき画像から所定の画像範囲を取得する画像範囲取得手段と、画像範囲取得手段により取得された画像範囲に応じて光源が表示素子を照射する範囲を変更する範囲変更手段（１８５ａ，１８５ｂ）を備えて光源から出射される光源光を表示素子に照射する導光光学系と、を有する。【選択図】図３
2015060188.tif 000002
【特許請求の範囲】
【請求項１】
光源と、
前記光源からの光が照射されて画像光を射出する表示素子と、
前記表示素子で投影すべき画像から所定の画像範囲を取得する画像範囲取得手段と、
前記画像範囲取得手段により取得された画像範囲に応じて前記光源が前記表示素子を照射する範囲を変更する範囲変更手段を備えて前記光源から出射される光源光を前記表示素子に照射する導光光学系と、
を有することを特徴とする投影装置。
【請求項２】
前記範囲変更手段は、前記表示素子における前記画像範囲取得手段が取得した画像範囲に前記光源からの光源光を集中させることを特徴とする請求項１記載の表示装置。
【請求項３】
前記範囲変更手段で前記光源が前記表示素子を照射する範囲を変更する場合、前記光源の輝度を下げるように制御することを特徴とする請求項１又は請求項２記載の表示装置。
【請求項４】
前記範囲変更手段は、前記光源と前記表示素子の間に設けられたミラーを屈折させて反射角度を変更することにより、前記光源が前記表示素子を照射する範囲を狭めることを特徴とする請求項１乃至請求項３の何れか記載の投影装置。
【請求項５】
前記範囲変更手段は、前記光源と前記表示素子の間に設けられたシリンドリカルレンズにより前記光源が前記表示素子を照射する範囲を狭めることを特徴とする請求項１乃至請求項４の何れか記載の表示装置。
【請求項６】
前記シリンドリカルレンズは、液体シリンドリカルレンズであることを特徴とする請求項５記載の表示装置。
【請求項７】
前記範囲変更手段は、前記光源と前記表示素子の間に設けられた導光装置を交換することにより前記光源が前記表示素子を照射する範囲を狭めることを特徴とする請求項１乃至請求項６の何れか記載の投影装置。
【請求項８】
前記導光装置は、導光ロッド又はライトトンネルであって、出射口の形状が異なる導光装置の交換を行うことを特徴とする請求項７記載の投影装置。
【請求項９】
前記画像範囲取得手段は、前記投影すべき画像から、設定した任意の条件に基づいて画像範囲を取得することを特徴とする請求項１乃至請求項８の何れか記載の投影装置。
【請求項１０】
前記画像範囲取得手段は、入力画像の画像認識を行うことにより、前記画像範囲の抽出を行うことを特徴とする請求項１乃至請求項９の何れか記載の投影装置。
【請求項１１】
前記画像範囲取得手段は、前記入力画像の奥行情報を取得し、最も手前に所定の割合以上の大きさで表示される物体の画像を含む範囲を前記画像範囲として取得することを特徴とする請求項１０記載の投影装置。
【請求項１２】
前記画像範囲取得手段は、前記入力画像内の人物の検出を行い、検出された人物の顔の画像又は顔と上半身の画像を含む範囲を前記画像範囲として取得することを特徴とする請求項１０又は請求項１１記載の投影装置。
【請求項１３】
前記画像範囲取得手段は、テンプレートにより目、口、等を検出して人物の顔を検出することを特徴とする請求項１２に記載のサイネージ投影装置。
【請求項１４】
前記画像範囲取得手段は、スクリーンの形状を取得すると共に、前記入力画像内において取得した前記スクリーンの形状と略相似形状の物体の画像を検出し、この物体の画像を含む範囲を前記画像範囲として取得することを特徴とする請求項１０乃至請求項１３の何れかに記載の投影装置。
【請求項１５】
前記範囲変更手段は、当該範囲変更手段を光軸回りに回転させる回転手段を含むことを特徴とする請求項１乃至請求項１４の何れかに記載の投影装置。
【請求項１６】
光源からの光を表示素子に照射して前記表示素子から画像光を射出し、
画像範囲取得手段により前記表示素子で投影すべき画像から所定の画像範囲を取得し、
範囲変更手段を備えた導光光学系により前記光源から出射される光源光を前記表示素子に照射すると共に、前記範囲変更手段により前記画像範囲取得手段によって取得された画像範囲に応じて前記光源光を前記表示素子に照射する範囲を変更することを特徴とする投影方法。
【発明の詳細な説明】
【技術分野】
【０００１】
本発明は、画像をスクリーン等に投影する投影装置及び投影装置における画像等の投影方法に関する。
【背景技術】
【０００２】
今日、パーソナルコンピューターの画面やビデオ画像、さらにメモリーカード等に記憶されている画像データによる画像等を表示素子に表示し、表示素子に表示された画像等をスクリーン等に投影する投影装置としてのプロジェクタが多用されている。この投影装置では、光源からの光束をレンズ群や導光装置、ミラー等を介して、ＤＭＤ（デジタル・マイクロミラー・デバイス）や液晶板などの表示素子に集光して照射し、表示素子からの画像光が投影レンズを介して射出される。
【０００３】
そして、光源からの出射光を、ライトトンネルや導光ロッド等の導光装置を通して、光束の面内分布を均一化することが行われている。しかし、この導光装置の軸長が十分でなかった場合、均一化が不十分となり、投影画像面内での輝度ムラが生じることとなる。
【０００４】
このように、光源から光源光を表示素子の有効表示領域に照射する光束を均一化する技術が種々開発され、特許文献１に開示する技術においては、導光装置の軸長を長くすることなく光源からの光束を均一化して表示素子に照射する技術が開示されている。
【０００５】
一方、今日、デジタルサイネージ用の装置としてプロジェクタ等の投影装置を利用する場合がある。この場合、画像中の人物や広告対象物などの物体の範囲だけ投影するようにしており、表示素子は、必要な画像のみ映像光として光源からの光を投影レンズに反射している。
【先行技術文献】
【特許文献】
【０００６】
【特許文献１】特開２００６−３０８６７８号公報
【発明の概要】
【発明が解決しようとする課題】
【０００７】
従来技術では、光源光が表示素子の有効表示領域全体を均一に照射するようにしていたが、デジタルサイネージ用の装置としてプロジェクタ等の投影装置を利用する場合、画像中の人物や物体などの所定範囲だけを投影するようにしており、表示素子に対して、投影映像に使用されない領域に照射される光は、オフ光とされて無駄となっていた。
【０００８】
すなわち、投影装置として不必要な部分に対してエネルギーを使用していることになるので、エネルギー利用効率の観点からも好ましくなかった。
言い方を変えると、光源光のエネルギーが、投影の明るさに有効に利用されていないという問題があった。
【０００９】
本発明は、このような欠点を排し、デジタルサイネージ等の投影を行う場合、表示対象を含む表示素子の所要範囲に光源光を集中させるように照射し、投影画像の高輝度化を図るものである。
【課題を解決するための手段】
【００１０】
本発明に係る投影装置は、光源と、前記光源からの光が照射されて画像光を射出する表示素子と、前記表示素子で投影すべき画像から所定の画像範囲を取得する画像範囲取得手段と、前記画像範囲取得手段により取得された画像範囲に応じて前記光源が前記表示素子を照射する範囲を変更する範囲変更手段を備えて前記光源から出射される光源光を前記表示素子に照射する導光光学系と、を有することを特徴とする。
【００１１】
また、本発明に係る投影方法は、光源からの光を表示素子に照射して前記表示素子から画像光を射出し、画像範囲取得手段により前記表示素子で投影すべき画像から所定の画像範囲を取得し、範囲変更手段を備えた導光光学系により前記光源から出射される光源光を前記表示素子に照射すると共に、前記範囲変更手段により前記画像範囲取得手段によって取得された画像範囲に応じて前記光源光を前記表示素子に照射する範囲を変更することを特徴とする。
【発明の効果】
【００１２】
本発明によれば、デジタルサイネージ等に利用するに際して、表示素子の必要部分に光源光を集中させるように照射し、エネルギー効率を向上させた投影装置及び投影方法を提供することができる。
【図面の簡単な説明】
【００１３】
【図１】本発明の第１の実施形態に係る投影装置を示す外観斜視図である。
【図２】本発明の第１の実施形態に係る投影装置の機能ブロックを示す図である。
【図３】本発明の第１の実施形態に係る投影装置の内部構造を示す平面模式図である。
【図４】本発明の第１の実施形態に係る投影装置の範囲変更手段の制御手順を示すフローチャートである。
【図５】本発明の第１の実施形態に係る導光光学系の要部を示す模式図で、（ａ）は通常の状態を示し、（ｂ）は照射範囲を変更した状態を示す図である。
【図６】本発明の第１の実施形態に係る投影装置の光源光が表示素子を照射する状態を示す模式図で、（ａ）は通常の状態を示し、（ｂ）は範囲を変更した状態を示す図である。
【図７】本発明の第１の実施形態に係る投影装置における表示素子への照射状態の一例を示す図であり、（ａ）は表示対象が中心にある場合の照射状態を示し、（ｂ）は（ａ）と直行する方向に照射範囲を変更する場合を示し、（ｃ）は照射範囲が中心から左側に偏った場合を示す図である。
【図８】本発明の第２の実施形態に係る投影装置の内部構造を示す平面模式図である。
【図９】本発明の第２の実施形態に係る導光光学系の要部を示す模式図である。
【図１０】本発明の第２の実施形態に係る導光光学系の要部の変形例を示す模式図である。
【図１１】本発明の第３の実施形態に係る導光光学系の要部のみを示す模式図であり、（ａ）（ｂ）は縦長形状の出射口を有するライトトンネルを示し、（ｃ）（ｄ）は横長形状の出射口を有するライトトンネルを示す図である。
【発明を実施するための形態】
【００１４】
以下、本発明を実施するための形態について説明する。
（第１の実施形態）
図１は本発明に係る投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１５】
そして、投影装置１０は、図１に示すように、略直方体形状であって、投影装置筺体の前方の側板とされる正面パネル１２の側方に投影口を覆うレンズカバー１９を有するとともに、この正面パネル１２には複数の吸気孔１８を設けている。さらに、図示しないが、リモートコントローラからの制御信号を受信するＩｒ受信部を備えている。
【００１６】
また、筺体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源ユニットや表示素子又は制御回路等が過熱した時に報知をする過熱インジケータ、サイネージモードの際の各種設定を行うためのキーやインジケータ等、が配置されている。
【００１７】
さらに、筺体の背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネルには、複数の吸気孔が形成されている。なお、図示しない筺体の側板である右側パネル、及び、図１に示した側板である左側パネル１５には、各々複数の排気孔１７も形成されている。
【００１８】
次に、投影装置１０の投影装置制御手段について図２の機能ブロック図を用いて述べる。投影装置制御手段は、制御部３８、入出力インターフェース２２、画像変換部２３、表示エンコーダ２４、表示駆動部２６、ミラー制御部４６等から構成される。
【００１９】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００２０】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００２１】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２２】
表示駆動部２６は、表示エンコーダ２４から出力された画像信号に対応して適宜フレームレートで空間的光変調素子（ＳＯＭ）である表示素子５１を駆動するものである。
【００２３】
そして、この投影装置１０は、本発明に係る光源である光源ユニット６０から射出された光源光の光線束を、導光光学系１７０を介して表示素子５１に照射することにより、表示素子５１の反射光で光像を形成し、投影側光学系２２０を介して図示しないスクリーンに画像を投影表示する。なお、この投影側光学系２２０の可動レンズ群２３５は、レンズモータ４５によりズーム調整やフォーカス調整のための駆動が行われる。
【００２４】
また、制御部３８は、詳細は後述するが、入力された画像から所定の画像範囲を取得する画像範囲取得手段として機能する。この画像範囲取得手段は、画像範囲取得装置と、サイネージモード判別部により構成される。そして、キー／インジケータ部３７からの操作入力によりサイネージモードとされるとき、又は、サイネージモード判別部によりサイネージモードと判定されたとき、制御部３８は、システムバス（ＳＢ）を介してミラー制御部４６に切り換え指示信号を送出する。ミラー制御部４６では、画像範囲データに応じて傾斜する角度を変更可能に形成された照射ミラー１８５を制御して、光源ユニット６０からの表示素子５１への照射範囲を調整する。
【００２５】
画像圧縮／伸長部３１は、画像信号の輝度信号及び色差信号をＡＤＣＴ及びハフマン符号化等の処理によりデータ圧縮して着脱自在な記録媒体とされるメモリーカード３２に順次書き込む記録処理を行う。
【００２６】
さらに、画像圧縮／伸長部３１は、再生モード時はメモリーカード３２に記録された画像データを読み出し、一連の動画を構成する個々の画像データを１フレーム単位で伸長し、この画像データを、画像変換部２３を介して表示エンコーダ２４に出力し、メモリーカード３２に記憶された画像データに基づいて動画等の表示を可能とする処理を行う。
【００２７】
筺体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２８】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２９】
また、制御部３８は、光源制御手段としての光源制御回路４１を制御しており、この光源制御回路４１は、画像生成時に要求される所定波長帯域の光が光源ユニット６０から射出されるように、光源ユニット６０の緑色光源装置における励起光源部、赤色光源装置、及び青色光源装置の発光を個別に制御する。
【００３０】
さらに、制御部３８は、冷却ファン駆動制御回路４３に光源ユニット６０等に設けた複数の温度センサによる温度検出を行わせ、この温度検出の結果から冷却ファンの回転速度を制御させている。また、制御部３８は、冷却ファン駆動制御回路４３にタイマー等により投影装置本体の電源ＯＦＦ後も冷却ファンの回転を持続させる、あるいは、温度センサによる温度検出の結果によっては投影装置本体の電源をＯＦＦにする等の制御も行う。
【００３１】
次に、この投影装置１０の内部構造について述べる。図３は、投影装置１０の内部構造を示す平面模式図である。投影装置１０は、図３に示すように、右側パネル１４の近傍に制御回路基板２４１を備えている。この制御回路基板２４１は、電源回路ブロックや光源制御ブロック等を備えてなる。また、投影装置１０は、制御回路基板２４１の側方、つまり、投影装置筺体の略中央部分に光源ユニット６０を備えている。
【００３２】
光源ユニット６０は、投影装置筐体の左右方向における略中央部分であって背面パネル１３近傍に配置される光源装置である緑色光源装置（８０）としての励起光源部７０と、この励起光源部７０から射出される光線束の光軸上であって正面パネル１２の近傍に配置される蛍光発光部９０と、この蛍光発光部９０から射出される光線束と平行となるように正面パネル１２の近傍に配置される青色光源装置１２０と、励起光源部７０と蛍光発光部９０との間に配置される赤色光源装置１００と、を有する。
【００３３】
更に、この光源ユニット６０は、蛍光発光部９０からの射出光や赤色光源装置１００からの射出光、青色光源装置１２０からの射出光の光軸が夫々同一の光軸となるように変換して各色光を所定の一面であるライトトンネル１７５の入射口に導光する光源光学系１４０と、を備え、赤色光、緑色光、及び、青色光を同一光軸として出射し、導光光学系１７０を介して赤色光、緑色光、及び、青色光の光源光を表示素子５１に照射する。
【００３４】
励起光源部７０は、背面パネル１３と光軸が平行になるよう配置されたレーザー素子等の光源用素子である励起光源７１と、励起光源７１からの射出光の光軸を正面パネル１２方向に９０度変換する反射ミラー群７５と、反射ミラー群７５で反射した励起光源７１からの射出光を集光する集光レンズ７８と、励起光源７１と右側パネル１４との間に配置されたヒートシンク８１と、を備える。また、励起光源７１の光軸上には、励起光源７１からの各射出光の指向性を高めるように各々平行光に変換するコリメータレンズ７３が夫々配置されている。
【００３５】
ヒートシンク８１と背面パネル１３との間には２つの冷却ファン２５１が配置されており、この冷却ファン２５１とヒートシンク８１とによって励起光源７１が冷却される。さらに、反射ミラー群７５と背面パネル１３との間にも冷却ファン２５１が配置されており、この冷却ファン２５１によって反射ミラー群７５や集光レンズ７８が冷却される。
【００３６】
緑色光源装置（８０）における蛍光発光部９０は、正面パネル１２と平行となるように、つまり、励起光源部７０からの射出光の光軸と直交するように配置されている。そして、蛍光発光部９０の緑色蛍光体層に照射された励起光源部７０からの射出光は、緑色蛍光体層における緑色蛍光体を励起し、緑色蛍光体から全方位に蛍光発光された光線束は、直接励起光源７１側へ射出される。
【００３７】
なお、蛍光発光部９０の反射面で蛍光体層側に反射された励起光において蛍光体に吸収されることなく励起光源７１側に射出された励起光は、緑色光源装置の一部でもある第一ダイクロイックミラー１４１を透過し、蛍光光は第一ダイクロイックミラー１４１により反射されるため、励起光が外部に射出されることはない。
【００３８】
赤色光源装置１００は、励起光源７１と光軸が平行となるように配置された赤色光源１０１と、赤色光源１０１からの射出光を集光する集光レンズ群１０５と、を備える。そして、この赤色光源装置１００は、励起光源部７０からの射出光及び蛍光発光部９０から射出される緑色波長帯域光と光軸が交差するように配置されている。また、赤色光源１０１は、赤色の波長帯域光を発する半導体発光素子としての赤色発光ダイオードである。さらに、赤色光源装置１００は、赤色光源１０１の右側パネル１４側に配置されるヒートシンク１１０を備える。そして、ヒートシンク１１０と正面パネル１２との間には冷却ファン２５１が配置されており、この冷却ファン２５１によって赤色光源１０１が冷却される。
【００３９】
青色光源装置１２０は、蛍光発光部９０からの射出光の光軸と平行となるように配置された青色光源１２１と、青色光源１２１からの射出光を集光する集光レンズ群１２５と、を備える。そして、この青色光源装置１２０は、赤色光源装置１００からの射出光と光軸が交差するように配置されている。また、青色光源１２１は、青色の波長帯域光を発する半導体発光素子としての青色発光ダイオードである。さらに、青色光源装置１２０は、青色光源１２１の正面パネル１２側に配置されるヒートシンク１３０を備える。そして、ヒートシンク１３０と正面パネル１２との間には冷却ファン２５１が配置されており、この冷却ファン２５１によって青色光源１２１が冷却される。
【００４０】
そして、光源光学系１４０は、赤色、緑色、青色波長帯域の光線束を集光させる集光レンズや、各色波長帯域の光線束の光軸を変換して同一の光軸とさせるダイクロイックミラー等からなる。具体的には、励起光源部７０から射出される青色波長帯域光及び蛍光発光部９０から射出される緑色波長帯域光の光軸と、赤色光源装置１００から射出される赤色波長帯域光の光軸と、が交差する位置に、青色及び赤色波長帯域光を透過し、緑色波長帯域光を反射してこの緑色光の光軸を左側パネル１５方向に９０度変換する第一ダイクロイックミラー１４１が配置されている。
【００４１】
また、青色光源装置１２０から射出される青色波長帯域光の光軸と、赤色光源装置１００から射出される赤色波長帯域光の光軸及び第一ダイクロイックミラー１４１により９０度変換された緑色波長帯域光と、が交差する位置に、青色波長帯域光を透過し、緑色及び赤色波長帯域光を反射してこの緑色及び赤色光の光軸を背面パネル１３方向に９０度変換する第二ダイクロイックミラー１４８が配置されている。そして、第一ダイクロイックミラー１４１と第二ダイクロイックミラー１４８との間には、集光レンズが配置されている。さらに、ライトトンネル１７５の近傍には、ライトトンネル１７５の入射口に光源光を集光する集光レンズ１７３が配置されている。
【００４２】
そして、光源ユニット６０から射出された光源光を表示素子５１に導光する導光光学系１７０としては、光源ユニット６０から射出された光線束を均一な強度分布の光束とするライトトンネル１７５、ライトトンネル１７５から射出された光を集光する集光レンズ１７８、ライトトンネル１７５から射出された光線束の光軸を左側パネル１５の方向に変換する光軸変換ミラー１８１等がある。
【００４３】
更に、導光光学系１７０として、光軸変換ミラー１８１で反射した光源光を表示素子５１に集光させる集光レンズ１８３と、この集光レンズ１８３を透過した光線束を表示素子５１に所定の角度で照射する照射ミラー１８５がある。
【００４４】
この表示素子５１とするＤＭＤと背面パネル１３との間には表示素子５１を冷却するためのヒートシンク１９５が配置されて、このヒートシンク１９５によって表示素子５１が冷却される。また、表示素子５１の正面近傍には、導光光学系１７０とされると共に投影側光学系２２０としても機能する集光レンズ１９０が配置されている。
【００４５】
また、照射ミラー１８５は、その中央で光線束が向かってくる方向に対して屈折可能に形成され、第１反射領域１８５ａと第２反射領域１８５ｂとを有し、第１反射領域１８５ａと第２反射領域１８５ｂの接続部を折り曲げ軸とし、第１反射領域１８５ａ及び第２反射領域１８５ｂの自由端側を反射面側に移動可能とした可動型の照射ミラーとするものである。
【００４６】
即ち、この照射ミラー１８５は、投影装置１０の筺体の底面に対する垂直方向とされて僅かに傾斜した折り曲げ軸で分割され、ヒンジ構造により分割された第１反射領域１８５ａと第２反射領域１８５ｂとが連結されるミラー構造とされている。
【００４７】
そして、この折り曲げ軸を中心とする照射ミラー１８５の屈折動作は、図示しない駆動機構、例えばピエゾ素子やボールねじやギヤを介したモータにより構成され、その制御はミラー制御部４６により制御される。
【００４８】
更に投影装置１０は、表示素子５１で反射されたオン光をスクリーンに放出する投影側光学系２２０のレンズ群を有している。この投影側光学系２２０としては、固定鏡筒に内蔵する固定レンズ群２２５と可動鏡筒に内蔵する可動レンズ群２３５とを備えてズーム機能を備えた可変焦点型レンズとされ、レンズモータにより可動レンズ群２３５を移動させることによりズーム調整やフォーカス調整を可能としている。
【００４９】
次に、本発明に係る投影装置１０をデジタルサイネージとして利用する場合の動作について説明する。図４はデジタルサイネージとしての機能が起動した場合のフローチャートである。まず、デジタルサイネージを起動する起動タイミングを、あらかじめキー／インジケータ部３７により設定しておく。また、起動タイミングとしては、ユーザーがキー／インジケータ部３７等を操作して指示したタイミングが含まれる。
【００５０】
これらの起動タイミングに応じて、デジタルサイネージのモードが起動開始される（Ｓ１）。デジタルサイネージのモードが起動されると、入出力インターフェース２２またはメモリーカード３２から入力される画像データから、制御部３８に設けられた画像範囲取得手段のうちの画像範囲取得装置により、入力画像の画像範囲が調べられる。
【００５１】
即ち、例えば入力画像の単一色（例えば黒色）の背景と、その他の彩色をもった画像範囲とを画像処理によって調べ、単一色以外の画像範囲を取得する（Ｓ２）。そして、画像範囲取得手段のうちのサイネージモード判別部でサイネージモード判別、すなわちサイネージ投影をするか否かを判別する（Ｓ３）。すなわち、画像範囲取得装置により調べられた画像範囲が、あらかじめ設定した所定の画像範囲、すなわち、デフォルトで設定されている画像範囲、又は、あらかじめキー／インジケータ部３７によりユーザーが任意で設定した画像範囲等の条件と合致した場合には、サイネージ投影を行うと判断する。
【００５２】
ここで、任意の条件は、対象の広告物である物体や人物像などの表示対象を投影すべき画像の画像範囲とするか、又は、表示対象のうち、あらかじめ画像データに記録された表示対象の奥行の情報を取得して、最も手前に所定の割合以上の大きさで表示される物体の近傍を投影すべき画像の画像範囲とするか、又は、表示対象を時間経過ごとに遷移させる等と所望の画像範囲を設定しておくことができる。このように、表示対象をユーザーがあらかじめ設定しておけば、画像処理（画像認識処理）によって目的に合致したサイネージ投影を行うことができる。例えば、最前面の表示対象を画像範囲とするように設定しておけば、その表示対象物をより強調するようなサイネージ投影を行うことができる。
【００５３】
サイネージモードの判別においてサイネージ投影をするとされた場合、サイネージ投影を行うよう取得した画像範囲に応じて照射ミラー１８５を駆動し制御する（Ｓ４）。
一方、サイネージモードの判別においてサイネージ投影をしないとされた場合、照射ミラー１８５の駆動制御（Ｓ４）をスキップし、通常のミラー状態で通常投影を行うようにする。
【００５４】
なお、図４では、わかりやすいように、Ｓ３〜Ｓ５の処理を上記のように説明したが、例えば、サイネージ投影を行っている状態から、通常投影の状態に戻すような場合には、Ｓ４での判別後、Ｓ５の手前に、照射ミラー１８５の角度を通常の状態に戻すという駆動制御が行われることとなる。
【００５５】
すなわち、図５の模式図に基づいて説明をすれば、サイネージ投影を行わない通常投影の場合は図５（ａ）に示すように光源から照射された光束は均等に表示素子５１であるＤＭＤに照射され、図６（ａ）に示すように表示素子５１の全体に光源光が照射されてこの表示素子５１からの画像光により、投影側光学系２２０を介して図示しないスクリーン等に投影される。
【００５６】
そして、サイネージ投影をすると判断された場合には、図５（ｂ）に示すように、照射ミラー１８５がミラー制御部４６により駆動制御されるとともに、照射ミラー１８５は第１反射領域１８５ａと第２反射領域１８５ｂとを直線状態（平面状態）から屈折させることによりミラーの角度を変更する。このため、図６（ｂ）に示すように、表示素子５１へ照射する照射範囲５５を、表示素子５１の有効範囲内で表示対象に合わせて照射することができる。
【００５７】
即ち、画像範囲取得装置により入力画像中の投影画像としての表示対象が取得されたとき、この表示対象とされる人物像などが入力画像中の中央に位置している場合、投影装置１０では、図７（ａ）に示すように、投影装置制御手段の表示駆動部２６によって投影すべき画像である表示対象（表示対象領域）２６０が表示素子５１の有効画像領域５２の中央に形成されるため、範囲変更手段であるミラー制御部４６により照射ミラー１８５を制御して、光源である光源ユニット６０からの光源光を表示素子５１の一部である有効画像領域５２の中央に集中するように照射するものである。
【００５８】
従って、サイネージ投影として、画像範囲取得手段により表示対象に適した投影すべき画像の画像範囲が取得され、この表示対象に適した画像範囲の映像が表示対象２６０として表示素子５１の有効画像領域５２において表示されるとき、図７（ａ）に示すように、この表示対象２６０が有効画像領域５２の中央に縦長とされていれば、照射ミラー１８５を折り曲げ軸で屈折させ、表示対象２６０の幅に合わせた照射対象範囲２６３とすることができる。
【００５９】
従って、表示対象である人物に合わせて光源光を表示素子５１に照射し、照射対象範囲２６３を絞るように変更することにより、光源光を無駄にすることなく、照射対象範囲２６３を明るく照射することができ、表示対象２６０の映像をスクリーンに明るく投影することができる。
【００６０】
また、折り曲げ軸が水平方向に近い状態の照射ミラー１８５の場合は、図７（ｂ）に示すように、表示対象２６０が横長の場合に照射対象範囲２６３を上下方向において狭めるように変更することができる。
【００６１】
なお、照射ミラー１８５の折り曲げ軸が傾斜した垂直方向であり、表示素子５１への光源光の照射範囲を左右において狭めた後、照射ミラー１８５全体を回転させて照射対象範囲２６３を左右に変更すれば、図７（ｃ）に示すように表示対象２６０が有効画像領域５２の中央に形成されない場合でも、有効に光源光を照射することができる。
【００６２】
尚、第１反射領域１８５ａと第２反射領域１８５ｂとの移動角度の差を持たせるように制御する、又は、第１反射領域１８５ａか第２反射領域１８５ｂかの一方だけを可動させるように制御する、などにより、表示対象２６０が有効画像領域５２の中央に形成されない場合に表示対象２６０に合わせて照射対象範囲２６３を絞るように変更することができる。
【００６３】
このように、本発明によるサイネージ投影を行えば、表示させたい表示対象に合わせて画像範囲を取得し、この画像範囲に合わせて光源とした光源ユニット６０からの光束を表示素子５１に照射することになるので、不要な画像部分に対する照射を省くことで、投影画像に関わる光源のエネルギー効率を向上させることができる。すなわち、図６（ｂ）の状態などに示すように、取得した画像範囲に光源からの光束を集中させることにより表示対象の投影時の輝度を上げ、明るく表示することができる。このようにして本発明により、光源のエネルギー効率を向上させた表示装置、投影装置を提供することができる。
【００６４】
なお、あらかじめデフォルトで規定した画像範囲でサイネージ投影をする場合には、特に複雑な設定をすることを要しない。しかしながら、入力画像からユーザーが所望する任意の画像範囲を取得するには、上記のように設定しておけば自動的に任意の画像範囲が取得できる。設定の方法としては、上記の他、画像のフレームごとに手動で設定してもよい。さらに、設定条件をメモリーカード３２等に記録しておいて設定条件を投影装置１０に読み込ませてもよい。このように、設定条件の投影装置１０への入力は、公知の技術が利用できる。
【００６５】
また、画像を投影するに際し、スクリーンの大きさや傾斜を測定するための撮像手段を備える投影装置１０では、この投影装置１０に、スクリーン形状を検出するスクリーン形状検出手段として機能させ、例えば、スクリーンが人型のサイネージ用スクリーンであることを認識して、その検出したスクリーン形状と、入力画像を比較して、一致する領域を表示対象（表示対象領域）として取得することもできる。
【００６６】
なお、スクリーン形状を検出するスクリーン形状検出手段としては、小型カメラから入力された映像を分析する画像処理手段等の公知技術を利用することができる。このようにして、スクリーン形状検出手段を具備する上記の投影装置を用いることによって、スクリーン形状に合わせたサイネージ投影を行うことができる。
【００６７】
また、屈折可能に形成された可動型のミラーは、表示素子５１の直前位置に配置される照射ミラー１８５に限定することなく、光軸変換ミラー１８１に折り曲げ軸を形成し、光源光の反射角を折り曲げ軸を中心に変化させるようにすることもでき、導光光学系１７０とされる光源ユニット６０から表示素子５１までの光路上の他のミラーを可動型とするようにしてもよい。
【００６８】
（第２の実施形態）
次に、本発明の第２実施形態に係る投影装置の模式図を図８に示す。この第２実施形態においては、導光光学系１７０にシリンドリカルレンズ１８７を追加し、このシリンドリカルレンズ１８７を駆動するレンズ駆動手段をミラー制御部４６に換えて設けることにより、第１実施形態におけるミラー制御部４６及び照射ミラー１８５に換えて、シリンドリカルレンズ１８７とレンズ駆動手段により範囲変更手段とするものである。
【００６９】
このシリンドリカルレンズ１８７としては、凹レンズと凸レンズとを１組として組み合わせ、この組み合わせた凹レンズと凸レンズは光軸に垂直な断面を同一矩形とし、矩形形状の長軸方向にはレンズ表面を湾曲面とし、矩形形状の短軸方向には直線形状とされてレンズ厚さを変化させないものであり、凹レンズ及び凸レンズを透過するレンズの透過光は、短軸方向において変化することなく、長軸方向においてのみ光軸に対して透過光が屈折されるものである。
【００７０】
従って、図９に示すように、凹レンズと凸レンズとの距離を調整して光源光の幅を狭めることにより、図７（ａ）に示したように、この表示対象２６０が有効画像領域５２の中央に縦長とされていれば、この表示対象２６０の幅に合わせた照射対象範囲２６３とすることができる。
【００７１】
なお、シリンドリカルレンズ１８７は、矩形の短軸方向に曲面を形成し、長軸方向の厚みを均一として、レンズの短軸方向でレンズを透過した光を光軸方向に対して変化させるようにすることもでき、上下方向で光源光の屈折を調整するシリンドリカルレンズ１８７であれば、図７（ｂ）に示すように、表示対象２６０が横長の場合に照射対象範囲２６３を上下方向において狭めるように変更することができる。
【００７２】
また、横方向に光源光を屈折させて光源光の幅を調整するシリンドリカルレンズ１８７を、光軸を中心に回転可能とし、シリンドリカルレンズ１８７を、光軸を中心に９０度回転させることにより図７（ａ）や図７（ｂ）に示す縦方向の表示対象２６０や横方向の表示対象２６０に合わせて照射対象範囲２６３を変更可能な範囲変更手段とすることもできる。
【００７３】
さらに、シリンドリカルレンズ１８７により光源光の幅を狭めた後、照射ミラー１８５により幅の狭い光源光の反射方向を変化させ、図７（ｃ）に示すように表示対象２６０が有効画像領域５２の中央に形成されない場合でも、有効に光源光を照射することができるようにすることもできる。
【００７４】
また、シリンドリカルレンズ１８７の駆動は、ピエゾ素子やボールねじ、ギヤを介したモータ等の公知技術を利用することができる。そして、シリンドリカルレンズ１８７は、本実施形態では光源ユニット６０と照射ミラー１８５の間に設けたが、照射ミラー１８５と表示素子５１であるＤＭＤとの間に設けてもよい。
【００７５】
このように、シリンドリカルレンズ１８７を採用することにより、第１実施形態における屈折運動可能な照射ミラー１８５に比べて、簡単な構造で範囲変更手段を構成することができる。
【００７６】
また、図１０に示すように、シリンドリカルレンズを、光学ガラス等の固体レンズではなく、液体シリンドリカルレンズ１８８とする場合もできる。この液体シリンドリカルレンズ１８８は、例えば水溶液と油の境界面によりレンズ効果が発揮され、電圧により焦点距離を合わせることができる可変焦点レンズである。
【００７７】
この場合は、この液体シリンドリカルレンズ１８８の屈折率を制御するレンズ制御部を設けるものであり、液体シリンドリカルレンズ１８８と、この液体シリンドリカルレンズ１８８の屈折率を制御するレンズ制御部とで範囲変更手段を構成するものである。
【００７８】
従って、この実施形態では、サイネージ投影を行うために、入力された画像から取得した画像範囲に応じて、液体シリンドリカルレンズ１８８の焦点距離を制御することにより照射ミラー１８５に照射する光束の範囲を調整することで、表示素子５１であるＤＭＤへの照射の範囲を変更することができる。
【００７９】
また、シリンドリカルレンズ１８７や液体シリンドリカルレンズ１８８では、照明範囲を狭めた状態でシリンドリカルレンズ１８７や液体シリンドリカルレンズ１８８の光軸を横方向に平行移動させることにより、狭めた照射範囲を移動させることができる。
【００８０】
なお、シリンドリカルレンズ１８７や液体シリンドリカルレンズ１８８で狭めた照射範囲を、一平面の照射ミラー１８５の全体の傾斜を変更して表示素子５１への照射位置を変更することもできる。
【００８１】
尚、液体シリンドリカルレンズ１８８もレンズ調整手段により屈折率を調整する場合のみでなく、光軸を中心軸として９０度回転させるようにすることもできる。
【００８２】
また、シリンドリカルレンズ１８７や液体シリンドリカルレンズ１８８は、ライトトンネル１７５の出射光を屈折調整すれば足りるものであり、図８に示したライトトンネル１７５の出射口の近くに配置する場合に限るものでなく、光軸変換ミラー１８１と照射ミラー１８５との間や照射ミラー１８５と表示素子５１の間など、光源ユニット６０と表示素子５１との間の導光光学系１７０に配置されればよい。
【００８３】
本実施形態の液体シリンドリカルレンズ１８８を構成することにより、第１実施形態や第２実施形態における照射ミラー１８５やシリンドリカルレンズ１８７を駆動する駆動機構を設ける必要がなく、範囲変更手段を構成することができる。
【００８４】
（第３の実施形態）
次に、本発明の第３実施形態として導光光学系１７０内の導光装置であるライトトンネルを切り換える投影装置１０を説明する。
【００８５】
この第３実施形態においては、図１１に示すように、出射口の形状を異ならせたライトトンネル１７５を用いるものであり、第１実施形態における範囲変更手段としてのミラー制御部４６及び照射ミラー１８５に換えて、図１１の（ａ）や（ｂ）に示すライトトンネル１７５と、入力された画像から取得した画像範囲に応じて、これらのライトトンネル１７５を切り換える図示しない切換駆動手段及びこの切換駆動手段を制御する切換制御部と、により範囲変更手段を構成するものである。
【００８６】
即ち、通常投影用の断面が横長矩形のライトトンネル１７５と、図１１の（ａ）に示す出射口１７６の形状として図１１の（ｂ）に示すように横幅を狭くすることにより縦長とされた形状のライトトンネル１７５とを光軸を平行として備え、この２個の平行なライトトンネル１７５の何れか一方を光源ユニット６０から出射される光源光の光軸の位置に合わせるように切り換え配置するものである。
【００８７】
なお、ライトトンネル１７５を切り換える切換駆動手段を含む構造は、ギヤを介した電動モータを駆動源として、公知の技術により構成することができる。また、２個のライトトンネル１７５は、平行に駆動手段に保持される場合のみでなく、入射口を光源ユニット６０から出射される光源光の位置に位置させるとき、光源ユニット６０の光軸とライトトンネル１７５の光軸を一致させれば足りるものである。
【００８８】
また、図１１の（ｃ）、（ｄ）に示すように、ライトトンネル１７５の出射口１７７の形状を通常のライトトンネルよりさらに縦軸方向に狭くし、このライトトンネル１７５を通常のライトトンネルと切り換えることにより、図７の（ｂ）に示すように照射対象範囲２６３を横長とすることができる。
【００８９】
このように、ライトトンネル１７５は、光束の出射口１７６の形状が異なっているので、射出される光束の分布はそれぞれ異なったものとなっている。よって、通常投影の際はライトトンネル１７５を使用して、表示素子５１の有効範囲に均一に光束が分布するよう照射し、サイネージ投影を行う際には、ライトトンネル１７５に切り換えることで、表示素子５１に照射する範囲を変更することができる。
【００９０】
すなわち、第３実施形態では、サイネージ投影を行うために、入力された画像から取得した画像範囲に応じて、ライトトンネル１７５を切り換えることで、表示素子５１への照射の範囲を変更するよう構成したものである。
【００９１】
なお、第３実施形態においてはライトトンネルを２種類としたが、出射口１７６の形状を変更したライトトンネルを３種類以上用意して変更可能として、サイネージ投影のバリエーションを増やすことができる。さらに、ライトトンネルに換えて、出口側の形状を変更した導光ロッドを複数種類用意しても同様に本発明の効果を得ることができる。さらにまた、これら導光装置を光軸回りに回転駆動させる回転駆動手段を設けることにより、例えば画像に対して表示対象（表示対象領域）に応じて、照射範囲の狭める方向の変更が可能なように構成することができる。
【００９２】
このようにライトトンネル又は導光ロッド等の導光装置を切り換える構成することにより、照射範囲の変更が確実に行われる構成とすることができる。
【００９３】
また、図７の（ｃ）に示したように、表示対象２６０がスクリーン２６５の中央でない場合、光源光を表示素子５１に照射する照射対象範囲２６３を表示素子５１の有効表示範囲の中央からずらす場合、ライトトンネル１７５または導光ロッドにより光源光の幅を変更した後、一平面の照射ミラー１８５の全体の傾斜を変更して表示素子５１への照射位置を変更することもできる。
【００９４】
以上、本発明の実施形態を説明したが、通常の技術知識により組み合わせられる範囲でこれらを組み合わせて実施することもできる。例えば、第１実施形態で示した角度変更可能な照射ミラー１８５を用いつつ、第２実施形態で示したシリンドリカルレンズ１８７、又は、第３実施形態の出射口を変形形状としたライトトンネル１７５を合わせて設けることにより、より広範囲に調整してサイネージ投影を行うことができる。
【００９５】
また、シリンドリカルレンズ１８７または液体シリンドリカルレンズ１８８では、１組を導光光学系１７０に組み込むことにより、前述の様に縦方向又は横方向に照射範囲を狭めることができるようにする場合のみでなく、シリンドリカルレンズ１８７または液体シリンドリカルレンズ１８８を２個、光軸を一致させつつ曲面方向を直交させるように配置し、２個のシリンドリカルレンズ１８７，１８８における各シリンドリカルレンズ１８７，１８８の焦点距離を変更させつつ光軸の平行移動を可能とするようにしてもよい。これにより、表示素子５１への光源光の照射範囲及び照射位置を、種々の面積の照射範囲としつつ上下左右に自由に変更することが可能となる。
【００９６】
上記各実施形態では、詳細には説明しなかったが、サイネージ投影を行うと判断された場合に、照射範囲の変更とともに、光源の輝度を下げるようにしてもよい。
そのようにすれば、照射範囲の変更により明るさ性能は維持しつつ、省エネ性を重視した投影を行うことができる。
【００９７】
このように、本発明の実施形態では、光源光を表示素子５１に照射する導光光学系１７０において、表示素子５１への照射範囲を変更する範囲変更手段を備えているため、表示素子５１への照射範囲を絞るように変更し、明るい投影が可能となる。また、照射範囲の変更とともに、光源の輝度を下げるようにすれば、光源の消費電力を少なくでき、光源や表示素子５１周辺の発熱を減少させ、光源ひいては投影装置１０の長寿命化を図ることができる。
【００９８】
また、画像範囲取得手段が取得した画像範囲の表示部分に光源光を集中させることにより、必要な範囲に光源光を照射してスクリーンに画像を明るく投影することができる。
【００９９】
そして、ミラーを屈折させる場合やシリンドリカルレンズ１８７，１８８を用いる場合は、容易に照射範囲を狭めるように変更することができ、液体シリンドリカルレンズ１８８を用いれば、機械的駆動機構を用いることなく容易に光源光の幅を変更することができる。
【０１００】
また、導光装置を交換する範囲変更手段は、必要範囲に限定した一定の光源光の形状を確実に形成することができ、導光装置の切換により導光装置の出射光の形状に合わせた形状の光源光を表示素子５１に照射することができる。
【０１０１】
そして、画像範囲取得手段により設定した任意の条件に基づいて画像範囲を取得する場合は、任意の表示対象に合わせたデジタルサイネージを容易に行うことができる。
【０１０２】
そして、この投影装置１０は、画像範囲取得手段によって入力画像の画像認識を行うことにより、表示対象２６０の抽出を行うようにすれば、種々の入力画像からデジタルサイネージ用の有効画像とする表示対象２６０を容易に作成することができる。
【０１０３】
また、画像範囲取得手段により、入力画像の奥行情報を取得し、最も手前に所定の割合以上の大きさで表示される物体の画像を表示対象２６０として取得すれば、デジタルサイネージに適した画像データを容易に作成することができる。
【０１０４】
そして、画像範囲取得手段により、入力画像内の人物の検出を行い、検出された人物の顔の画像又は顔と上半身の画像を表示対象２６０として取得すれば、人型形状のスクリーンに適したサイネージ用の画像データを容易に作成することができる。
【０１０５】
また、画像範囲取得手段が、テンプレートにより目、口、等を検出して人物の顔を検出すれば、容易に人物検出を行うことができる。
【０１０６】
そして、画像範囲取得手段が、スクリーンの形状を取得すると共に、入力画像内において取得したスクリーンの形状と略相似形状の物体の画像を検出し、この物体の画像を表示対象２６０とすれば、スクリーン形状に合わせたデジタルサイネージ用の画像データの作成を容易とすることができる。
【０１０７】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１０８】
以下に、本願出願の最初の特許請求の範囲に記載された発明を付記する。
［１］  光源と、
前記光源からの光が照射されて画像光を射出する表示素子と、
前記表示素子で投影すべき画像から所定の画像範囲を取得する画像範囲取得手段と、
前記画像範囲取得手段により取得された画像範囲に応じて前記光源が前記表示素子を照射する範囲を変更する範囲変更手段を備えて前記光源から出射される光源光を前記表示素子に照射する導光光学系と、
を有することを特徴とする投影装置。
［２］  前記範囲変更手段は、前記表示素子における前記画像範囲取得手段が取得した画像範囲に前記光源からの光源光を集中させることを特徴とする前記［１］記載の表示装置。
［３］  前記範囲変更手段で前記光源が前記表示素子を照射する範囲を変更する場合、前記光源の輝度を下げるように制御することを特徴とする前記［１］又は前記［２］記載の表示装置。
［４］  前記範囲変更手段は、前記光源と前記表示素子の間に設けられたミラーを屈折させて反射角度を変更することにより、前記光源が前記表示素子を照射する範囲を狭めることを特徴とする前記［１］乃至前記［３］の何れか記載の投影装置。
［５］  前記範囲変更手段は、前記光源と前記表示素子の間に設けられたシリンドリカルレンズにより前記光源が前記表示素子を照射する範囲を狭めることを特徴とする前記［１］乃至前記［４］の何れか記載の表示装置。
［６］  前記シリンドリカルレンズは、液体シリンドリカルレンズであることを特徴とする前記［５］記載の表示装置。
［７］  前記範囲変更手段は、前記光源と前記表示素子の間に設けられた導光装置を交換することにより前記光源が前記表示素子を照射する範囲を狭めることを特徴とする前記［１］乃至前記［６］の何れか記載の投影装置。
［８］  前記導光装置は、導光ロッド又はライトトンネルであって、出射口の形状が異なる導光装置の交換を行うことを特徴とする前記［７］記載の投影装置。
［９］  前記画像範囲取得手段は、前記投影すべき画像から、設定した任意の条件に基づいて画像範囲を取得することを特徴とする前記［１］乃至前記［８］の何れか記載の投影装置。
［１０］  前記画像範囲取得手段は、入力画像の画像認識を行うことにより、前記画像範囲の抽出を行うことを特徴とする前記［１］乃至前記［９］の何れか記載の投影装置。
［１１］  前記画像範囲取得手段は、前記入力画像の奥行情報を取得し、最も手前に所定の割合以上の大きさで表示される物体の画像を含む範囲を前記画像範囲として取得することを特徴とする前記［１０］記載の投影装置。
［１２］  前記画像範囲取得手段は、前記入力画像内の人物の検出を行い、検出された人物の顔の画像又は顔と上半身の画像を含む範囲を前記画像範囲として取得することを特徴とする前記［１０］又は前記［１１］記載の投影装置。
［１３］  前記画像範囲取得手段は、テンプレートにより目、口、等を検出して人物の顔を検出することを特徴とする前記［１２］に記載のサイネージ投影装置。
［１４］  前記画像範囲取得手段は、スクリーンの形状を取得すると共に、前記入力画像内において取得した前記スクリーンの形状と略相似形状の物体の画像を検出し、この物体の画像を含む範囲を前記画像範囲として取得することを特徴とする前記［１０］乃至前記［１３］の何れかに記載の投影装置。
［１５］  前記範囲変更手段は、当該範囲変更手段を光軸回りに回転させる回転手段を含むことを特徴とする前記［１］乃至前記［１４］の何れかに記載の投影装置。
［１６］  光源からの光を表示素子に照射して前記表示素子から画像光を射出し、
画像範囲取得手段により前記表示素子で投影すべき画像から所定の画像範囲を取得し、
範囲変更手段を備えた導光光学系により前記光源から出射される光源光を前記表示素子に照射すると共に、前記範囲変更手段により前記画像範囲取得手段によって取得された画像範囲に応じて前記光源光を前記表示素子に照射する範囲を変更することを特徴とする投影方法。
【符号の説明】
【０１０９】
１０  投影装置                        １１  上面パネル
１２  正面パネル                      １３  背面パネル
１４  右側パネル                      １５  左側パネル
１７  排気孔                          １８  吸気孔
１９  レンズカバー                    ２０  各種端子
２１  入出力コネクタ部                ２２  入出力インターフェース
２３  画像変換部                      ２４  表示エンコーダ
２５  ビデオＲＡＭ                    ２６  表示駆動部
３１  画像圧縮／伸長部                ３２  メモリーカード
３５  Ｉｒ受信部                      ３６  Ｉｒ処理部
３７  キー／インジケータ部            ３８  制御部
４１  光源制御回路                    ４３  冷却ファン駆動制御回路
４５  レンズモータ                    ４６  ミラー制御部
４７  音声処理部                      ４８  スピーカ
５１  表示素子                        ５２  有効画像領域
５５  照射範囲
６０  光源ユニット
７０  励起光源部                      ７１  励起光源
７３  コリメータレンズ                ７５  反射ミラー群
７８  集光レンズ                      ８１  ヒートシンク
９０  蛍光発光部                      １００  赤色光源装置
１０１  赤色光源                      １０５  集光レンズ群
１１０  ヒートシンク
１２０  青色光源装置                  １２１  青色光源
１２５  集光レンズ群                  １３０  ヒートシンク
１４０  光源光学系
１４１  第一ダイクロイックミラー      １４８  第二ダイクロイックミラー
１７０  導光光学系                    １７３  集光レンズ
１７５  ライトトンネル                １７６、１７７  出射口
１７８  集光レンズ                    １８１  光軸変換ミラー
１８３  集光レンズ                    １８５  照射ミラー
１８５ａ  第１反射領域                １８５ｂ  第２反射領域
１８７  シリンドリカルレンズ          １８８  液体シリンドリカルレンズ
１９０  集光レンズ                    １９５  ヒートシンク
２２０  投影側光学系
２２５  固定レンズ群                  ２３５  可動レンズ群
２４１  制御回路基板                  ２５１  冷却ファン
２６０  表示対象（表示対象領域）      ２６３  照射対象範囲
【図１】
2015060188.tif 000003
【図２】
2015060188.tif 000004
【図３】
2015060188.tif 000005
【図４】
2015060188.tif 000006
【図５】
2015060188.tif 000007
【図６】
2015060188.tif 000008
【図７】
2015060188.tif 000009
【図８】
2015060188.tif 000010
【図９】
2015060188.tif 000011
【図１０】
2015060188.tif 000012
【図１１】
2015060188.tif 000013